(57)【要約】      （修正有）【課題】治具上でゴム部品を接着したフィルムを撓ますことなく、治具から分離しうる部品を接着したフィルムからはずすための補助具を提供する。【解決手段】補助具１は、それぞれの周縁にゴム製部品２の下面を剥離可能にかつ剥離後に再接着可能に両面テープ８を介して接着した複数のガイド孔を設けた可撓性を有するフィルム４を、前記各ガイド孔の内形あるいはガイド孔の内形の一部と合致する外周形状の段部５ａを有する複数のガイド用凸型５を突設した治具６からはずすためのものであって、前記フィルム４のガイド孔と同形、同大のガイド孔を有する硬質の板体からなる。治具６に硬質の補助具１を載置した上にフィルム４を載置して接着作業を行い、接着作業後は、フィルム４を載せた状態で補助具１を持ち上げて治具６からフィルム４をはずす。【選択図】図５
0003101431.tif 000002
【実用新案登録請求の範囲】
【請求項１】
それぞれ部品が支持された複数のガイド孔を設けた可撓性を有するフィルムを治具からはずすための補助具であって、前記フィルムのガイド孔と同形、同大のガイド孔を有し、前記治具に載置して前記フィルムを支持する硬質の板体からなることを特徴とする部品を支持したフィルムを治具からはずすための補助具。
【請求項２】
それぞれの周縁にゴム製部品の下面を剥離可能にかつ剥離後に再接着可能に接着構造を介して接着した複数のガイド孔を設けた可撓性を有するフィルムを、前記各ガイド孔の内形あるいはガイド孔の内形の一部と合致する外周形状の段部を有し、前記ガイド孔が嵌合される複数のガイド用凸型を突設した治具からはずすための補助具であって、前記フィルムのガイド孔と同形、同大のガイド孔を有し、これらガイド孔を前記ガイド用凸型に嵌合するようにして前記治具に載置して前記フィルムを支持する硬質の板体からなることを特徴とする部品を支持したフィルムを治具からはずすための補助具。
【考案の詳細な説明】
【技術分野】
【０００１】
本考案は、携帯電話等の電子機器の製造工程において、部品、例えばリング状のゴム製部品を電子機器に実装する作業を容易にするために、あらかじめ複数の部品を可撓性を有するフィルムの所定部位、例えばゴム製部品の前記リング形状に対応した形状のガイド孔周囲に分離可能に嵌合あるいは接着する接着加工に使用する部品を支持したフィルムを治具からはずすための補助具に関するものである。
【背景技術】
【０００２】
従来、ゴム製部品をフィルムに接着して支持させるには、リング状のゴム製部品の前記リング状部分に嵌合するガイド用凸型を複数突設した治具を使用し、フィルムへのゴム製部品の接着加工にあたっては、リング状のゴム製部品の外縁より若干小径の複数のガイド孔を設けたフィルムの各ガイド孔を、前記各ガイド用凸型に嵌めて前記治具上に載置し、リング状のゴム製部品を前記各ガイド用凸型に嵌合し、かつ該ゴム製部品のリング縁下面に両面テープを接着し、このリング縁下面を前記フィルムのガイド孔周縁部分に押し付け剥離可能に接着させた後に、このゴム製部品を接着したフィルムを治具から引き上げてはずしていた。前記治具は、ガイド用凸型にフィルムとリング状のゴム製部品を嵌合することによって部品を正規の位置にガイドし、フィルムのガイド孔周縁にゴム製部品のリング縁下面が正確に配置され、かつ接着が行われるようにしていた。
【考案の開示】
【考案が解決しようとする課題】
【０００３】
上記従来の前記接着作業は、ゴム製部品を接着したフィルムを型枠から引き上げはずす際に、柔軟で可撓性を有するフィルムが撓んで引き上げにくいだけでなく、撓むことによってフィルムから両面接着テープが剥がれ、フィルムとゴム製部品が分離するという不都合がしばしば発生する、という問題があった。
【課題を解決するための手段】
【０００４】
請求項１に記載の本発明は、それぞれ部品が支持された複数のガイド孔を設けた可撓性を有するフィルムを治具からはずすための補助具であって、前記フィルムのガイド孔と同形、同大のガイド孔を有し、前記治具に載置して前記フィルムを支持する硬質の板体からなることを特徴とするものである。
【０００５】
請求項２に記載の本発明は、それぞれの周縁にゴム製部品の下面を剥離可能にかつ剥離後に再接着可能に接着構造を介して接着した複数のガイド孔を設けた可撓性を有し、前記ガイド孔が嵌合されるフィルムを、前記各ガイド孔の内形あるいはガイド孔の内形の一部と合致する外周形状の段部を有する複数のガイド用凸型を突設した治具からはずすための補助具であって、前記フィルムのガイド孔と同形、同大のガイド孔を有し、これらガイド孔を前記ガイド用凸型に嵌合するようにして前記治具に載置して前記フィルムを支持する硬質の板体からなることを特徴とするものである。
【考案の効果】
【０００６】
以上のように、請求項１に記載の本発明は、フィルムの下側に補助具を配置した状態で前記嵌合作業を行った後にフィルムを治具からはずす作業において、補助具を持ち上げることによって、前記フィルムを補助具に支持した状態で撓ますことなくはずすことができ、部品がフィルムから脱落するおそれがないという効果を奏する。
【０００７】
また、請求項２に記載の本発明は、フィルムの下側に補助具を配置した状態で前記接着作業を行った後にフィルムを治具からはずす作業において、補助具を持ち上げることによって、前記フィルムを補助具に支持した状態で撓ますことなくはずすことができ、ゴム製部品がフィルムから剥離して脱落するおそれがないという効果を奏する。
【考案を実施するための最良の形態】
【０００８】
次に、携帯電話に実装するゴム製部品の実装作業を行い易くするべく、実装前にあらかじめフィルムに剥離可能に接着して支持するための補助具に適用した本考案の好適な実施形態を添付図面の図１〜図８に基づいて詳細に説明する。ここにおいて、図１は補助具の平面図、図２は治具の平面図、図３はフィルムの平面図、図４は接着作業を終えた状態の正面図、図５は補助具を引き上げはずした状態を示す拡大部分縦断面図、図６はゴム製部品の正面図、図７は同じく平面図、図８は同じく底面図である。
【０００９】
図１〜図５に示すように、補助具１は、それぞれ周縁にゴム製部品２の下面を剥離可能にかつ接着後に再接着可能に接着構造を介して接着するほぼ円形の八つのガイド孔３を設けた可撓性を有する透明なフィルム４を、前記各ガイド孔３内形と合致する外周形状である円形形状をもつ基部５ａを有する八つののガイド用凸型５を突設した治具６からはずすためのものであり、前記各ガイド用凸型５に嵌合し得る八つのガイド孔７を有する硬質の板体からなる。
【００１０】
図５〜図８に示すように、ゴム製部品４は、携帯電話機（図示せず）に付設するカメラのレンズ縁を固定しかつ保護するためのもので、平面形状が円形リング状をなし、その縁部下面には両面テープ８を貼着してある。また、前記縁部下面の内側には、携帯電話機の所定部分に設けた固定用突起（図示せず）に嵌合、固定させるための二つの筒部９と、三つの小突起１０を下方に一体的に突設してある。
【００１１】
図３〜図５に示すように、フィルム４は、柔軟で可撓性を有するプラスチックで構成され、長手方向両側に沿って四つずつの係止孔１１を設ける。また、前記両面テープ８の接着剤は、フィルム４に対して剥離可能に弱接着する一方、携帯電話機の所定部分に対しては強固に接着する特性をもつものを使用している。
【００１２】
図２及び図５に示すように、治具６の各ガイド用凸型５は、それらの基部に形成した段部５ａに、ゴム製部品２の二つの前記両筒部９と三つの前記小突起１０が嵌合する二つの大穴１２と三つの小穴１３を形成する。これらの大穴１２と小穴１３は、八つのガイド用凸型５にそれぞれ方向を揃えて設けてある。また、治具６の長手方向両端縁には、それぞれ半円形の切欠き１４が設けてあり、この切欠き１４は、補助具１を治具６からはずすとき、補助具１に指を掛け易くするためのものである。
【００１３】
図１、図４、図５に示すように、前述の補助具１は、金属製の板体で構成するもので、前記フィルム４の各ガイド孔３と同数、同形、同大でそれぞれの間隔と位置も同一のガイド孔７を設けるとともに、一方の縁部に沿った部位に、前記フィルム２の前記係止孔１１のうち二つに挿入可能な一対のガイド突起１５を設けてある。このガイド突起１５は、フィルム２を正確に位置決めするためのものである。また、両側縁に一対ずつの半円形の切欠き１６を設けてあり、この各切欠き１６は、フィルム４を補助具１からはずすときにフィルム４に指を掛け易くするためのものである。
【００１４】
以上のように構成した補助具１の使用方法を説明する。先ず、治具６上に補助具１を、各ガイド孔７をガイド用凸型５に嵌合させて載置する。次に、前記補助具１上にフィルム２を、前記補助具８のガイド孔７から突出している前記各ガイド用凸型５にそのガイド孔３を嵌合させて載置する。続いて、前記各ガイド孔３から突出している前記各ガイド用凸型５に順次ゴム製部品２を嵌合することによって、フィルム４の前記ガイド孔３周縁部分にゴム製部品２の下面が正確に配置される。ここで、前記各ゴム製部品２をフィルム４面に押し付けて、その両面テープ８で各ゴム製部品２をフィルム４に接着させる。このように接着したゴム製部品２は、両面テープ８の接着剤の特性により、必要に応じて剥離可能であるとともに、接着後に再接着可能である。このようにしてフィルム４に八つのゴム製部品２を接着した後は、治具６の長手方向両端縁に設けた切欠き１４に対応する部分の補助具１縁部を持って、治具６から引き上げる。このように引き上げることによって、ゴム製部品２を接着させたフィルム４を、補助具１に乗せた状態で撓むことなくはずすことができる。
【００１５】
なお、本考案は、上記実施形態になんら限定されるものではなく、部品は、リング状のゴム製でなくてもよいほか、携帯電話機の部品ではなく他の機器の部品に対応するように構成してもよい。
【図面の簡単な説明】
【００１６】
【図１】補助具の平面図
【図２】治具の平面図
【図３】フィルムの平面図
【図４】接着作業を終えた状態の正面図
【図５】補助具を引き上げはずした状態を示す拡大部分縦断面図
【図６】ゴム製部品の正面図
【図７】同じく平面図
【図８】同じく底面図
【符号の説明】
【００１７】
１    補助具
２    ゴム製部品
３    ガイド孔
４    フィルム
５    ガイド用凸型
５ａ    段部
６    治具
７    ガイド孔
８    両面テープ
９    筒部
１０    小突起
１１    係止孔
１２    大穴
１３    小穴
１４    切欠き
１５    ガイド突起
１６    切欠き
【図１】
0003101431.tif 000003
【図２】
0003101431.tif 000004
【図３】
0003101431.tif 000005
【図４】
0003101431.tif 000006
【図５】
0003101431.tif 000007
【図６】
0003101431.tif 000008
【図７】
0003101431.tif 000009
【図８】
0003101431.tif 000010